(57)【特許請求の範囲】
【請求項１】
貯蔵室を開閉する扉と、
前記貯蔵室側に設けられた送電コイルと、
前記扉側に設けられ、前記送電コイルから電力を無線で受信する受電コイルと、
前記扉側に設けられ、前記送電コイルから前記受電コイルを通して給電される電気部品と、
前記扉側に設けられ、前記貯蔵室側との間で無線通信を行うものであって前記送電コイルから前記受電コイルを通して給電される通信手段を備え、
前記受電コイルは、前記扉の後面側に配置され、その扉の前面側を加熱するために当該受電コイルの導線を当該後面側から当該前面側へ延びるように設けて熱が伝達されるように構成したことを特徴とする冷蔵庫。
【請求項２】
前記電気部品は、前記扉を加熱するヒータであることを特徴とする請求項１に記載の冷蔵庫。
【請求項３】
前記通信手段は、前記電気部品を制御するための情報を無線通信することを特徴とする請求項１および２のいずれかに記載の冷蔵庫。
【請求項４】
前記通信手段は、光または電波または磁気で無線通信することを特徴とする請求項１から３のいずれかに記載の冷蔵庫。
【請求項５】
前記扉側には、前記電気部品として前記貯蔵室の外部の情報を検出するためのセンサが設けられていることを特徴とする請求項１から４のいずれかに記載の冷蔵庫。
【請求項６】
前記扉には、前記電気部品としてのヒータが収納されたガスケットが設けられていることを特徴とする請求項１から５のいずれかに記載の冷蔵庫。
【請求項７】
前記貯蔵室を有する箱体を備え、
前記送電コイルは、前記箱体の前端部に配置されていることを特徴とする請求項１から６のいずれかに記載の冷蔵庫。
【発明の詳細な説明】
【技術分野】
【０００１】
実施例は冷蔵庫に関する。
【背景技術】
【０００２】
冷蔵庫には扉に電気部品を設けたものがある。この扉は貯蔵室を開閉するものであり、扉の電気部品には貯蔵室側から配線を通して給電される。
【先行技術文献】
【特許文献】
【０００３】
【特許文献１】特開２００６−３３６９６９号公報
【特許文献２】特開２００７−１１３８５８号公報
【発明の概要】
【発明が解決しようとする課題】
【０００４】
従来の冷蔵庫の場合には扉の開閉が繰返されることで配線が損傷する虞があった。
【課題を解決するための手段】
【０００５】
実施例の冷蔵庫は、貯蔵室を開閉する扉と、前記貯蔵室側に設けられた送電コイルと、前記扉側に設けられ前記送電コイルから電力を無線で受信する受電コイルと、前記扉側に設けられ前記送電コイルから前記受電コイルを通して給電される電気部品と、前記扉側に設けられ前記貯蔵室側との間で無線通信を行うものであって前記送電コイルから前記受電コイルを通して給電される通信手段を備え、前記受電コイルは、前記扉の後面側に配置され、その扉の前面側を加熱するために当該受電コイルの導線を当該後面側から当該前面側へ延びるように設けて熱が伝達されるように構成したものである。
【図面の簡単な説明】
【０００６】
【図１】実施例１を示す図（冷蔵庫の内部構成を示す断面図）
【図２】キャビネット側の信号経路を示す図
【図３】キャビネット側の電源経路を示す図
【図４】右扉の内部構成を示す断面図
【図５】扉側の電源経路を示す図
【図６】扉側の信号経路を示す図
【図７】ＬＥＤおよびフォトカプラ間の関係を示す図
【図８】実施例２を示す図７相当図
【図９】実施例３を示す図４相当図
【発明を実施するための形態】
【実施例１】
【０００７】
図１のキャビネット１は前面が開口するものであり、前から見て縦長な長方形状をなしている。このキャビネット１は外箱２および内箱３間に断熱材４を収納してなるものであり、箱体に相当する。このキャビネット１内には上仕切板５が固定されており、上仕切板５の上に位置して冷蔵室６が形成されている。この冷蔵室６は前面が開口するものであり、貯蔵室に相当する。この冷蔵室６内にはＲ温度センサ７（図２参照）が固定されており、Ｒ温度センサ７は冷蔵室６内の温度に応じたＲ温度信号を出力する。
【０００８】
キャビネット１内には、図１に示すように、断熱仕切板８が固定されている。この断熱仕切板８は上仕切板５の下に配置されたものであり、キャビネット１内には上仕切板５および断熱仕切板８間に位置して野菜室９が形成されている。この野菜室９は前面が開口するものであり、貯蔵室に相当する。
【０００９】
キャビネット１内には、図１に示すように、下仕切板１０が固定されている。この下仕切板１０は断熱仕切板８の下に配置されたものであり、キャビネット１内には断熱仕切板８および下仕切板１０間に位置して製氷室１１が形成され、下仕切板１０の下に位置して冷凍室１２が形成されている。これら製氷室１１および冷凍室１２は前面が開口するものであり、貯蔵室に相当する。この冷凍室１２内にはＦ温度センサ１３（図２参照）が固定されており、Ｆ温度センサ１３は冷凍室１２内の温度に応じたＦ温度信号を出力する。
【００１０】
キャビネット１には、図１に示すように、冷蔵室６の前方に位置してＲ扉１４が装着されている。このＲ扉１４は右端の垂直な軸を中心に回転可能にされたものであり、閉鎖状態で冷蔵室６の前面を前から覆う。このＲ扉１４には閉鎖状態での後面に位置してガスケット１５が固定されている。このガスケット１５はＲ扉１４の外周部を周回する枠状をなすものであり、冷蔵室６の前面はＲ扉１４の閉鎖状態でガスケット１５がキャビネット１の前端面に前から密着することで気密状態に閉鎖される。このＲ扉１４は扉に相当する。
【００１１】
キャビネット１には、図１に示すように、野菜室９の前方に位置してＶ扉１６が装着されており、Ｖ扉１６は野菜室９の前面を前から覆う閉鎖状態および閉鎖状態に比べて前の開放状態間で前後方向へ移動可能にされている。このＶ扉１６の後面にはガスケット１７が固定されており、野菜室９の前面はＶ扉１６の閉鎖状態でガスケット１７がキャビネット１の前端面に前から密着することで気密状態に閉鎖される。このＶ扉１６は扉に相当する。
【００１２】
キャビネット１には、図１に示すように、製氷室１１の前方に位置してＩ扉１８が装着されており、Ｉ扉１８は製氷室１１の前面を前から覆う閉鎖状態および閉鎖状態に比べて前の開放状態間で前後方向へ移動可能にされている。このＩ扉１８の後面にはガスケット１９が固定されており、製氷室１１の前面はＩ扉１８の閉鎖状態でガスケット１９がキャビネット１の前端面に前から密着することで気密状態に閉鎖される。このＩ扉１８は扉に相当する。
【００１３】
キャビネット１には、図１に示すように、冷凍室１２の前方に位置してＦ扉２０が装着されており、Ｆ扉２０は冷凍室１２の前面を前から覆う閉鎖状態および閉鎖状態に比べて前の開放状態間で前後方向へ移動可能にされている。このＦ扉２０の後面にはガスケット２１が固定されており、冷凍室１２の前面はＦ扉２０の閉鎖状態でガスケット２１がキャビネット１の前端面に前から密着することで気密状態に閉鎖される。このＦ扉２０は扉に相当する。
【００１４】
キャビネット１には、図１に示すように、機械室２２が形成されている。この機械室２２内には冷凍サイクルのコンプレッサ２３が固定されており、コンプレッサ２３の吐出口にはコンデンサ２４が接続されている。このコンデンサ２４は機械室２２内に配置されたものであり、コンデンサ２４にはＲエバポレータ２５およびＦエバポレータ２６が接続されている。Ｒエバポレータ２５は冷蔵室６の後に配置されたものであり、Ｆエバポレータ２６は冷凍室１２の後に配置されたものである。これらＲエバポレータ２５およびＦエバポレータ２６はコンプレッサ２３の吸込口に接続されたものであり、Ｒエバポレータ２５およびＦエバポレータ２６にはコンプレッサ２３の吐出口からコンデンサ２４を通して冷媒が供給される。
【００１５】
野菜室９の後には、図１に示すように、Ｒファン装置２７が固定されている。このＲファン装置２７はモータの回転軸にファンを連結したものであり、冷蔵室６内にはＲファン装置２７からＲエバポレータ２５を通して冷気が供給され、野菜室９内には冷蔵室６内を経由して冷気が供給される。製氷室１２の後にはＦファン装置２８が固定されている。このＦファン装置２８はモータの回転軸にファンを連結したものであり、製氷室１１内および冷凍室１２内のそれぞれにはＦファン装置２８からＦエバポレータ２６を通して冷気が供給される。
【００１６】
図２の運転制御回路２９はキャビネット１内に収納されたものであり、ＣＰＵとＲＯＭとＲＡＭを有している。この運転制御回路２９はＲ温度センサ７からのＲ温度信号およびＦ温度センサ１３からのＦ温度信号を検出するものであり、Ｒ温度信号の検出結果およびＦ温度信号の検出結果のそれぞれが互いに異なる目標値に収束するようにコンプレッサ２３とＲファン装置２７とＦファン装置２８を電気的に制御する。
【００１７】
図３の電源回路３０はキャビネット１内に収納されたものである。この電源回路３０は商用交流電源３１に電源線を介して接続されたものであり、商用交流電源３１を整流および平滑することに応じてＲ温度センサ７とＦ温度センサ１３とコンプレッサ２３とＲファン装置２７とＦファン装置２８と運転制御回路２９のそれぞれの駆動電源を生成する。
【００１８】
冷蔵室６の天井壁には、図１に示すように、前端部に位置してコイルボックス３２が固定されている。このコイルボックス３２は冷蔵室６内に配置されたものであり、気密状態に密閉されることで冷気が進入不能にされている。このコイルボックス３２は、図３に示すように、Ｒ送電コイル３３が収納されたものであり、Ｒ送電コイル３３は電源線を介して送電側回路３４に接続されている。この送電側回路３４は基板に搭載されたものであり、キャビネット１内に収納されている。この送電側回路３４は複数のスイッチング素子からなるものであり、電源回路３０に電源線を介して接続されている。この送電側回路３４は運転制御回路２９がＲＯＭのスイッチングパターンに応じてスイッチング制御するものであり、運転制御回路２９は送電側回路３４をスイッチング制御することでＲ送電コイル３３に交流電力を印加する。このＲ送電コイル３３は送電コイルに相当する。
【００１９】
図４はＲ扉１４であり、Ｒ扉１４の詳細構成は次の通りである。扉容器３５は前面が開口するものであり、後板と上板と下板と左板と右板を有している。この扉容器３５は前から見て縦長な長方形状をなすものであり、Ｒ扉１４のガスケット１５は扉容器３５の後板に固定されている。この扉容器３５内には前から後へ順に化粧板３６と前ヒータ３７と断熱材３８と後ヒータ３９が収納されている。
【００２０】
化粧板３６は垂直なガラス板からなるものであり、扉容器３５の前面は化粧板３６によって閉鎖されている。この化粧板３６にはパネル４０が固定されており、パネル４０には外気温度センサ４１と外気湿度センサ４２と操作スイッチ４３（いずれも図５参照）が固定されている。外気温度センサ４１は外気の温度に応じた外気温度信号を出力するものであり、外気湿度センサ４２は外気の湿度に応じた外気湿度信号を出力するものである。操作スイッチ４３は使用者が操作可能なものであり、操作されることに応じて電気的な状態が変化する。これら外気温度センサ４１と外気湿度センサ４２と操作スイッチ４３のそれぞれは電気部品に相当し、外気温度センサ４１および外気湿度センサ４２のそれぞれはセンサに相当する。
【００２１】
前ヒータ３７は前から見て四角形状の面状ヒータからなるものである。この前ヒータ３７は２枚の絶縁物間に発熱体を挟み込むことで構成されたものであり、扉容器３５の上板と下板と左板と右板と化粧板３６に接触する垂直な板状をなしている。この前ヒータ３７は化粧板３６を直接的に加熱するものであり、化粧板３６を加熱することで化粧板３６の前面で結露が生じることを防止する。この前ヒータ３７は電気部品およびヒータに相当する。
【００２２】
断熱材３８はウレタンを材料とするものであり、前ヒータ３７および後ヒータ３９間に配置されている。この後ヒータ３９は前から見て四角形状の面状ヒータからなるものであり、扉容器３５の後板と上板と下板と左板と右板に接触する垂直な板状をなしている。この後ヒータ３９は扉容器３５の後板〜右板を介してＲ扉１４のガスケット１５を間接的に加熱するものであり、ガスケット１５を加熱することでガスケット１５の表面で結露が生じることを防止する。この後ヒータ３９は電気部品およびヒータに相当する。
【００２３】
扉容器３５の後板には、図４に示すように、上端部に位置して電装品ボックス４４が固定されている。この電装品ボックス４４はＲ扉１４の閉鎖状態で冷蔵室６内に収納されるものであり、冷気が進入不能に気密状態に閉鎖されている。この電装品ボックス４４内にはＲ受電コイル４５が収納されており、Ｒ受電コイル４５はＲ扉１４の閉鎖状態でＲ送電コイル３３に前から隙間を介して対向する。このＲ受電コイル４５はＲ扉１４の非閉鎖状態でＲ送電コイル３３から磁気的に遮断され、Ｒ扉１４の閉鎖状態でＲ送電コイル３１に磁気的に結合するものであり、Ｒ送電コイル３３に結合した状態で交流電力を誘起する。このＲ受電コイル４５は受電コイルに相当する。
【００２４】
断熱材３８内には、図５に示すように、受電側回路４６が埋設されている。この受電側回路４６は整流部４７および二次電池４８を有するものであり、整流部４７はＲ受電コイル４５で誘起された交流電力を直流電力に変換し、二次電池４８は整流部４７からの直流電力を貯電する。この二次電池４８は前ヒータ３７と後ヒータ３９と外気温度センサ４１と外気湿度センサ４２と操作スイッチ４３に電源線を介して接続されており、前ヒータ３７〜操作スイッチ４３には二次電池４８から直流の駆動電源が供給される。
【００２５】
断熱材３８内には、図５に示すように、Ｒ扉側制御回路４９が埋設されており、Ｒ扉側制御回路４９は電源線を介して二次電池４８に接続されている。このＲ扉側制御回路４９は二次電池４８から直流の駆動電源が供給されるものであり、図６に示すように、ＣＰＵとＲＯＭとＲＡＭを有している。このＲ扉側制御回路４９は前ヒータ３７および後ヒータ３９を電気的に制御するものであり、外気温度センサ４１からの外気温度信号と外気湿度センサ４２からの外気湿度信号と操作スイッチ４３の操作内容を検出する。この操作スイッチ４３は使用者が冷却モードの種類を指定するためのものであり、Ｒ扉側制御回路４９は操作スイッチ４３の操作内容の検出結果に応じて冷却モードの種類を設定する。
【００２６】
扉容器３５には、図７の（ａ）に示すように、上端部に位置して凹部５０が形成されている。この凹部５０はＲ扉１４の閉鎖状態で後面が開口するものであり、ガスケット１５の内側に配置されている。この凹部５０内には扉側ＬＥＤ５１が固定されている。この扉側ＬＥＤ５１はＲ扉１４の閉鎖状態で前から後へ光を投射するものであり、図５に示すように、電源線を介して二次電池４８に接続されている。この扉側ＬＥＤ５１は二次電池４８から直流の駆動電源が供給されるものであり、図６に示すように、Ｒ扉側制御回路４９は扉側ＬＥＤ５１を電気的に制御することで外気温度信号の検出結果と外気湿度信号の検出結果と冷却モードの設定結果を扉側ＬＥＤ５１から光で送信する。
【００２７】
冷蔵室６の天井壁には、図７の（ａ）に示すように、凹部５２が形成されている。この凹部５２は前面が開口するものであり、Ｒ扉１４の凹部５０はＲ扉１４の閉鎖状態で冷蔵室６の凹部５２に前から対向する。この冷蔵室６の凹部５２内にはフォトカプラ５３が固定されている。このフォトカプラ５３は、図３に示すように、電源回路３０に電源線を介して接続されており、電源回路３０から直流の駆動電源が印加される。このフォトカプラ５３は扉側ＬＥＤ５１からの外気温度信号と外気湿度信号と冷却モードを受光するものであり、図２に示すように、運転制御回路２９はフォトカプラ５３から外気温度信号と外気湿度信号と冷却モードのそれぞれの受光結果を検出し、コンプレッサ２３とＲファン装置２７とＦファン装置２８を冷却モードの検出結果に応じて制御することで冷蔵室６内および冷凍室１２内を冷却モードの設定結果に応じた態様で冷却する。
【００２８】
冷蔵室６の天井壁には、図７の（ｂ）に示すように、凹部５４が形成されている。この凹部５４は前面が開口するものであり、凹部５２に対して左右方向に間隔を置いて配置されている。この凹部５４内にはＬＥＤ５５が固定されている。このＬＥＤ５５は、図３に示すように、電源回路３０に電源線を介して接続されており、電源回路３０から直流の駆動電源が印加される。このＬＥＤ５５は後から前へ光を投射するものであり、図２に示すように、運転制御回路２９はＬＥＤ５５を電気的に制御することでＲ温度センサ７のＲ温度信号の検出結果をＬＥＤ５５から光で送信する。
【００２９】
扉容器３５には、図７の（ｂ）に示すように、凹部５６が形成されている。この凹部５６はＲ扉１４の閉鎖状態での後面が開口するものであり、Ｒ扉１４の閉鎖状態で冷蔵室６の凹部５４に前から対向する。このＲ扉１４の凹部５６内には扉側フォトカプラ５７が固定されている。この扉側フォトカプラ５７は、図５に示すように、二次電池４８に電源線を介して接続されており、二次電池４８から直流の駆動電源が印加される。この扉側フォトカプラ５７はＬＥＤ５５からのＲ温度信号を受光するものであり、図６に示すように、Ｒ扉側制御回路４９は扉側フォトカプラ５７からＲ温度信号の受光結果を検出し、前ヒータ３５および後ヒータ３７のそれぞれをＲ温度信号の検出結果と外気温度信号の検出結果と外気湿度信号の検出結果に応じて制御することでガスケット１５および化粧板３６で結露が生じることを防止する。これら扉側フォトカプラ５７と扉側ＬＥＤ５１とＲ扉側制御回路４９は通信手段に相当する。
【００３０】
上仕切板５には、図１に示すように、前端部に位置してコイルボックス３２が固定されている。このコイルボックス３２は野菜室９内に配置されたものであり、野菜室９のコイルボックス３２内には、図３に示すように、Ｖ送電コイル５８が収納されている。このＶ送電コイル５８は送電側回路３４に電源線を介して接続されたものであり、Ｖ送電コイル５８には送電側回路３４から交流電力が印加される。このＶ送電コイル５８は送電コイルに相当する。
【００３１】
野菜室９のＶ扉１６は扉容器３５内に化粧板３６と前ヒータ３７と断熱材３８と後ヒータ３９を収納してなるものであり、パネル４０と扉側ＬＥＤ５１と扉側フォトカプラ５７を備えていない点を除いてＲ扉１４と同様の機械的構成を有している。このＶ扉１６には、図１に示すように、電装品ボックス４４が固定されており、図３に示すように、Ｖ扉１６の電装品ボックス４４内にはＶ受電コイル５９が収納されている。このＶ受電コイル５９はＶ扉１６の閉鎖状態でＶ送電コイル５８に磁気的に結合するものであり、Ｖ扉１６の非閉鎖状態でＶ送電コイル５８から磁気的に遮断される。このＶ受電コイル５９は受電コイルに相当する。
【００３２】
Ｖ扉１６の断熱材３８内には受電側回路４６が埋設されており、Ｖ扉１６の受電側回路４６はＶ受電コイル５９に電源線を介して接続されている。このＶ扉１６の受電側回路４６は電源線を介してＶ扉１６の前ヒータ３７および後ヒータ３９に接続されており、Ｖ扉１６の前ヒータ３７および後ヒータ３９にはＶ送電コイル５８からＶ受電コイル５９およびＶ扉１６の受電側回路４６を通して直流の駆動電源が非接触で供給される。
【００３３】
Ｖ扉１６の断熱材３８内にはＶ扉側制御回路が埋設されており、Ｖ扉側制御回路はＶ扉１６の受電側回路４６に電源線を介して接続されている。このＶ扉側制御回路はＶ送電コイル５８からＶ受電コイル５９およびＶ扉１６の受電側回路４６を通して直流の駆動電源が非接触で供給されるものであり、ＣＰＵとＲＯＭとＲＡＭに加えて無線ＬＡＮ機能を有している。
【００３４】
運転制御回路２９は無線ＬＡＮ機能を有するものであり、Ｒ温度センサ７からのＲ温度信号の検出結果とＦ温度センサ１３からのＦ温度信号の検出結果とフォトカプラ５３からの外気温度信号の検出結果とフォトカプラ５３からの外気湿度信号の検出結果を無線でＶ扉側制御回路に送信する。このＶ扉側制御回路はＲ温度信号〜外気湿度信号の送信結果を無線で受信するものであり、Ｖ扉１６の前ヒータ３７および後ヒータ３９をＲ温度信号と外気温度信号と外気湿度信号の受信結果に応じて制御することでＶ扉１６の化粧板３６およびガスケット１７で結露が生じることを防止する。このＶ扉側制御回路は通信手段に相当する。
【００３５】
断熱仕切板８には、図１に示すように、前端部に位置してコイルボックス３２が固定されている。このコイルボックス３２は製氷室１１内に配置されたものであり、製氷室１１のコイルボックス３２内には、図３に示すように、Ｉ送電コイル６０が収納されている。このＩ送電コイル６０は送電側回路３４に電源線を介して接続されたものであり、Ｉ送電コイル６０には送電側回路３４から交流電力が印加される。このＩ送電コイル６０は送電コイルに相当する。
【００３６】
製氷室１１のＩ扉１８は扉容器３５内に化粧板３６と前ヒータ３７と断熱材３８と後ヒータ３９を収納してなるものであり、パネル４０と扉側ＬＥＤ５１と扉側フォトカプラ５７を備えていない点を除いてＲ扉１４と同様の機械的構成を有している。このＩ扉１８には、図１に示すように、電装品ボックス４４が固定されており、図３に示すように、Ｉ扉１８の電装品ボックス４４内にはＩ受電コイル６１が収納されている。このＩ受電コイル６１はＩ扉１８の閉鎖状態でＩ送電コイル６０に磁気的に結合するものであり、Ｉ扉１８の非閉鎖状態でＩ送電コイル６０から磁気的に遮断される。このＩ受電コイル６１は受電コイルに相当する。
【００３７】
Ｉ扉１８の断熱材３８内には受電側回路４６が埋設されており、Ｉ扉１８の受電側回路４６はＩ受電コイル６１に電源線を介して接続されている。このＩ扉１８の受電側回路４６は電源線を介してＩ扉１８の前ヒータ３７および後ヒータ３９に接続されており、Ｉ扉１８の前ヒータ３７および後ヒータ３９にはＩ送電コイル６０からＩ受電コイル６１およびＩ扉１８の受電側回路４６を通して直流の駆動電源が非接触で供給される。
【００３８】
Ｉ扉１８の断熱材３８内にはＩ扉側制御回路が埋設されており、Ｉ扉側制御回路はＩ扉１８の受電側回路４６に電源線を介して接続されている。このＩ扉側制御回路はＩ送電コイル６０からＩ受電コイル６１およびＩ扉１８の受電側回路４６を通して直流の駆動電源が非接触で供給されるものであり、ＣＰＵとＲＯＭとＲＡＭに加えて無線ＬＡＮ機能を有している。このＩ扉側制御回路は運転制御回路２９からのＲ温度信号〜外気湿度信号の送信結果を無線で受信するものであり、Ｉ扉１８の前ヒータ３７および後ヒータ３９をＦ温度信号と外気温度信号と外気湿度信号の受信結果に応じて制御することでＩ扉１８の化粧板３６およびガスケット１９で結露が生じることを防止する。このＩ扉側制御回路は通信手段に相当する。
【００３９】
下仕切板１０には、図１に示すように、前端部に位置してコイルボックス３２が固定されている。このコイルボックス３２は冷凍室１２内に配置されたものであり、冷凍室１２のコイルボックス３２内には、図３に示すように、Ｆ送電コイル６２が収納されている。このＦ送電コイル６２は送電側回路３４に電源線を介して接続されたものであり、Ｆ送電コイル６２には送電側回路３４から交流電力が印加される。このＦ送電コイル６２は送電コイルに相当する。
【００４０】
冷凍室１２のＦ扉２０は扉容器３５内に化粧板３６と前ヒータ３７と断熱材３８と後ヒータ３９を収納してなるものであり、パネル４０と扉側ＬＥＤ５１と扉側フォトカプラ５７を備えていない点を除いてＲ扉１４と同様の機械的構成を有している。このＦ扉２０には、図１に示すように、電装品ボックス４４が固定されており、図３に示すように、Ｆ扉２０の電装品ボックス４４内にはＦ受電コイル６３が収納されている。このＦ受電コイル６３はＦ扉２０の閉鎖状態でＦ送電コイル６２に磁気的に結合するものであり、Ｆ扉２０の非閉鎖状態でＦ送電コイル６２から磁気的に遮断される。このＦ受電コイル６３は受電コイルに相当する。
【００４１】
Ｆ扉２０の断熱材３８内には受電側回路４６が埋設されており、Ｆ扉２０の受電側回路４６はＦ受電コイル６３に電源線を介して接続されている。このＦ扉２０の受電側回路４６は電源線を介してＦ扉２０の前ヒータ３７および後ヒータ３９に接続されており、Ｆ扉２０の前ヒータ３７および後ヒータ３９にはＦ送電コイル６２からＦ受電コイル６３およびＦ扉１８の受電側回路４６を通して直流の駆動電源が非接触で供給される。
【００４２】
Ｆ扉２０の断熱材３８内にはＦ扉側制御回路が埋設されており、Ｆ扉側制御回路はＦ扉２０の受電側回路４６に電源線を介して接続されている。このＦ扉側制御回路はＦ送電コイル６２からＦ受電コイル６３およびＦ扉２０の受電側回路４６を通して直流の駆動電源が非接触で供給されるものであり、ＣＰＵとＲＯＭとＲＡＭに加えて無線ＬＡＮ機能を有している。このＦ扉側制御回路は運転制御回路２９からのＲ温度信号〜外気湿度信号の送信結果を無線で受信するものであり、Ｆ扉２０の前ヒータ３７および後ヒータ３９をＦ温度信号と外気温度信号と外気湿度信号の受信結果に応じて制御することでＦ扉１８の化粧板３６およびガスケット２１で結露が生じることを防止する。このＦ扉側制御回路は通信手段に相当する。
【００４３】
上記実施例１によれば次の効果を奏する。
Ｒ扉１４の前ヒータ３７と後ヒータ３９と外気温度センサ４１と外気湿度センサ４２と操作スイッチ４３に冷蔵室６側のＲ送電コイル３３からＲ扉１４側のＲ受電コイル４５を通して無線給電したので、冷蔵室６側から前ヒータ３７〜操作スイッチ４３に給電するための配線が不要になる。しかも、冷蔵室６側およびＲ扉１４側間で情報を無線通信したので、情報を通信するための配線が不要になる。さらに、無線通信用のＲ扉側制御回路４９と扉側ＬＥＤ５１と扉側フォトカプラ５７に冷蔵室６側のＲ送電コイル３３からＲ扉１４側のＲ受電コイル４５を通して無線給電したので、無線通信手段に電源を供給するための配線も不要になる。従って、冷蔵室６側およびＲ扉１４側間の配線が廃止されるので、Ｒ扉１４の開閉が繰返されることに応じて配線が損傷する虞がなくなる。この効果はＶ扉１６とＩ扉１８とＦ扉２０についても同様である。
【００４４】
Ｒ扉１４の前ヒータ３７および後ヒータ３９に冷蔵室６側から無線給電したので、Ｒ扉１４で結露が生じることを防止できる。特にＶ扉１６とＩ扉１８とＦ扉２０の場合には引出し式である事情から配線が困難であるにも拘らず結露が生じることを防止できる。
【００４５】
Ｒ扉１４の前ヒータ３７および後ヒータ３９を制御するための情報を冷蔵室６側およびＲ扉１４側間で無線通信したので、Ｒ扉１４の前ヒータ３７および後ヒータ３９をきめ細かく制御することが可能になる。この効果はＶ扉１６とＩ扉１８とＦ扉２０についても同様である。
【００４６】
冷蔵室６側からＲ扉１４の外気温度センサ４１および外気湿度センサ４２に無線給電した。従って、Ｒ扉１４の前ヒータ３７および後ヒータ３９を外部の情報に応じて制御することができるので、Ｒ扉１４で結露が生じることを少ない消費電力量で確実に防止することができる。
【００４７】
Ｒ送電コイル３３をキャビネット１の前端部に配置したので、Ｒ扉１４の閉鎖状態でのＲ受電コイル４５およびＲ送電コイル３３間の距離が短くなる。従って、Ｒ扉１４の閉鎖状態でのＲ送電コイル３３およびＲ受電コイル４５間の磁気的な結合度合が高まるので、Ｒ送電コイル３３からＲ受電コイル４５へ電力が効率的に送信される。この効果はＶ扉１６とＩ扉１８とＦ扉２０についても同様である。
【実施例２】
【００４８】
Ｒ扉１４のガスケット１５内には、図８に示すように、コードヒータ７１が収納されており、Ｒ扉１４の後ヒータ３９は廃止されている。このコードヒータ７１は線状ヒータに絶縁チューブを被せたものであり、ガスケット１５に沿う枠状をなしている。このコードヒータ７１はＲ送電コイル３３からＲ受電コイル４５を通して無線で給電されるものであり、Ｒ扉側制御回路４９は運転制御回路２９からのＲ温度信号と外気温度センサ４１からの外気温度信号と外気湿度センサ４２からの外気湿度信号に応じてコードヒータ７１を制御することでガスケット１５の表面で結露が生じることを防止する。このコードヒータ７１は電気部品およびヒータに相当する。
【００４９】
上記実施例２によれば次の効果を奏する。
Ｒ扉１４のガスケット１５内にコードヒータ７１を収納し、冷蔵室６側からコードヒータ７１に無線で給電した。従って、ガスケット１５がコードヒータ７１によって直接的に加熱されるので、ガスケット１５の表面で結露が生じることを少ない消費電力量で確実に防止することができる。
【００５０】
上記実施例２においては、Ｖ扉１６のガスケット１７内またはＩ扉１８のガスケット１９内またはＦ扉２０のガスケット２１内にコードヒータ７１を収納しても良い。
【実施例３】
【００５１】
Ｒ扉１４は、図９に示すように、扉容器３５内に化粧板３６および断熱材３８を収納してなるものであり、前ヒータ３７および後ヒータ３９は廃止されている。この扉容器３５内には加熱板８１が収納されている。この加熱板８１はアルミニウム製の薄板からなるものであり、化粧板３６の後面に接触している。この加熱板８１は電装品ボックス４４内のＲ受電コイル４５に電熱線８２を介して接続されており、Ｒ受電コイル４５から電熱線８２を通して熱が伝達されることで発熱する。この加熱板８１は発熱することで化粧板３６を加熱するものであり、化粧板３６を加熱することで化粧板３６の前面で結露が生じることを防止する。
【００５２】
上記実施例３によれば次の効果を奏する。
Ｒ扉１４の前面にＲ受電コイル４５から熱を伝達したので、電気的な前ヒータ３７を使用することなくＲ扉１４の前面で結露が生じることを防止できる。
【００５３】
上記実施例３においては、Ｖ扉１６またはＩ扉１８またはＦ扉２０の扉容器３５内に加熱板８１を収納しても良い。
上記実施例３においては、Ｒ受電コイル４５の導線を化粧板３６の後面の全域に接触状態で這わせることで化粧板３６の全域をＲ受電コイル４５で直接的に加熱しても良い。これはＶ扉１６とＩ扉１８とＦ扉２０についても同様である。
【００５４】
上記実施例１〜３においては、Ｒ扉１４側およびキャビネット１側間での無線通信を無線ＬＡＮで行っても良い。
上記実施例１〜３においては、Ｖ扉１６側およびキャビネット１側間での無線通信を光で行っても良い。これはＩ扉１８およびＦ扉２０についても同様である。
【００５５】
上記実施例１〜３においては、Ｒ扉１４側およびキャビネット１側間での無線通信を磁気で行っても良い。この場合にはＲ送電コイル３３およびＲ受電コイル４５のそれぞれを用いて情報を送受信することが好ましい。これはＶ扉１６とＩ扉１８とＦ扉２０についても同様である。
【００５６】
上記実施例１〜３においては、Ｒ扉１４の閉鎖状態および非閉鎖状態の双方でＲ受電コイル４５をＲ送電コイル３３に磁気的に結合させ、Ｒ扉１４の閉鎖状態および非閉鎖状態の双方でＲ送電コイル３３からＲ受電コイル４５に電力を無線送信しても良い。これはＶ扉１６とＩ扉１８とＦ扉２０についても同様である。
【００５７】
上記実施例１〜３においては、キャビネット１側からＲ扉１４側またはＶ扉１６側またはＩ扉１８側またはＦ扉２０側に電波方式または共鳴方式で電力を非接触で送電しても良い。
【００５８】
以上、本発明の実施例を説明したが、この実施例は、例として提示したものであり、発明の範囲を限定することは意図していない。これら新規な実施例は、その他の様々な形態で実施されることが可能であり、発明の要旨を逸脱しない範囲で、種々の省略、置き換え、変更を行うことができる。これら実施例やその変形は、発明の範囲や要旨に含まれると共に、特許請求の範囲に記載された発明とその均等の範囲に含まれる。
【符号の説明】
【００５９】
１はキャビネット（箱体）、６は冷蔵室（貯蔵室）、９は野菜室（貯蔵室）、１１は製氷室（貯蔵室）、１２は冷凍室（貯蔵室）、１４はＲ扉（扉）、１５はガスケット、１６はＶ扉（扉）、１７はガスケット、１８はＩ扉（扉）、１９はガスケット、２０はＦ扉（扉）、２１はガスケット、３３はＲ送電コイル（送電コイル）、３７は前ヒータ（電気部品，ヒータ）、３９は後ヒータ（電気部品，ヒータ）、４１は外気温度センサ（電気部品，センサ）、４２は外気湿度センサ（電気部品，センサ）、４３は操作スイッチ（電気部品）、４５はＲ受電コイル（受電コイル）、５８はＶ送電コイル（送電コイル）、５９はＶ受電コイル（受電コイル）、６０はＩ送電コイル（送電コイル）、６１はＩ受電コイル（受電コイル）、６２はＦ送電コイル（送電コイル）、６３はＦ受電コイル（受電コイル）、７１はコードヒータ（電気部品，ヒータ）である。
【図１】
0006636687.tif 000002
【図２】
0006636687.tif 000003
【図３】
0006636687.tif 000004
【図４】
0006636687.tif 000005
【図５】
0006636687.tif 000006
【図６】
0006636687.tif 000007
【図７】
0006636687.tif 000008
【図８】
0006636687.tif 000009
【図９】
0006636687.tif 000010